(57)【要約】【課題】腕や肩の骨折、腕や肩のケガ、肩の亜脱臼、腕肩腱板損傷、肩関節亜脱臼予防などの予防や治療において、肩関節や腕、肘を所定の位置に介護者の力を借りることなく、着用者自身で装着して固定できるとともに、首や肩への負担も少ない固定用具を提供する。【解決手段】ほぼ三角形状の布材１と、この布材１の斜辺の一端に固着された連結具３と、この連結具３と上記布材１とを連結するベルト部材２と、上記布材１の他辺の頂点の一端に固着された雄型の面ファスナー４とを備える。【選択図】図２
2012205870.tif 000002
【特許請求の範囲】
【請求項１】
ほぼ三角形状の布材と、この布材の頂点の一端に固着された連結具と、この連結具と上記布材とを連結するベルト部材と、上記布材の張り出された斜辺の一端に固着された雄型の面ファスナーとを備えたことを特徴とする腕や肩の固定具。
【請求項２】
上記ほぼ三角形状の布材は、表面を雌型の面ファスナー機能を備えたことを特徴とする請求項１記載の腕や肩の固定具。
【請求項３】
上記ほぼ三角形状の布材は、一端に張り出し部を設けたことを特徴とする請求項１又は２記載の腕や肩の固定具。
【請求項４】
上記ほぼ三角形状の布材は、テープ状の伸縮性部材を固着させたことを特徴とする請求項１〜３のいずれか１項に記載の腕や肩の固定具。
【請求項５】
上記ほぼ三角形状の布材は、布財の内側に装着手順を示す説明図と腕位置を示す説明図を設けたことを特徴とする１〜４のいずれか１項に記載の腕や肩の固定具。
【請求項６】
上記ほぼ三角形状の布材は、腕や肩の固定用具の腕を固定する部分に切り込みを設けたことを特徴とする請求項１〜５のいずれか１項に記載の腕や肩の固定具。
【請求項７】
上記ほぼ三角形状の布材は、三角形の一端の端に切込みが設けられ、その切り込みの２つの辺の一辺同士を互いに固着し、Ｌ字状としたことを特徴とする請求項１〜６のいずれか１項に記載の腕や肩の固定具。
【請求項８】
上記ほぼ三角形状の布材は、内側をほぼ三角形に切り抜いたことを特徴とする請求項１〜７のいずれか１項に記載の腕や肩の固定具。
【発明の詳細な説明】
【技術分野】
【０００１】  この発明は、腕や肩の骨折、腕や肩のケガ、肩の亜脱臼、腕肩腱板損傷、肩関節亜脱臼等の予防や治療において、腕や肩の固定を自分で固定し支える腕や肩の固定用具に関するものである。
【背景技術】
【０００２】  従来の腕や肩の骨折、腕や肩のケガ、肩の亜脱臼、腕肩腱板損傷、肩関節亜脱臼等の予防や治療において、腕や肩を固定するための装具としては、一般的に専用の固定具や三角巾などを用いて腕や肩を体に固定し腕の高さを固定する方法が用いられている。特に、脳疾患片麻痺患者では弛緩性麻痺による肩関節の亜脱臼、肩関節痛、靭帯の過伸張を残さないように予防や治療の目的のため、専用の固定具または三角巾、などが用いられている。例えば、特許文献１は、フレームを使用した肩関節脱臼急性期固定用装具を開示する。
【先行技術文献】
【特許文献】
【０００３】
【特許文献１】特開２００４−２６１５３１号公報
【発明の概要】
【発明が解決しようとする課題】
【０００４】  上記のような従来の専用の固定具は、大きく高額であり、また、専用の固定具、三角巾などは着用者自身が装着出来ず、介護者が装着する必要があり、装着時の時間的、労働的負担であるという問題点があった。【０００５】  また、三角巾は、腕や肩の骨折、ケガの時と、肩の亜脱臼、腕肩腱板損傷、肩関節亜脱臼等の予防や治療では装着方法が異なるが、同一方法で装着されている状態がみうけられ肩や腕の固定がうまくできず、首や肩に負担がかかり、痛みや肩こりの原因にもなった。さらに亜脱臼予防のために使用する三角巾は、背中で結ぶため、車いす乗車時やベッドに横たわるときに背中に違和感を感じると言う問題点もあった。【０００６】  この発明は、上述のような問題点を解決するためになされたもので、腕や肩の骨折、腕や肩のケガ、肩の亜脱臼、腕肩腱板損傷、肩関節亜脱臼などの予防や治療において、肩関節や腕、肘を所定の位置に介護者の力を借りることなく、着用者自身で装着して固定できるともに、装着時に背中に違和感を感じない固定用具を提供することを目的とする。
【課題を解決するための手段】
【０００７】  この発明に係わる腕や肩の固定具は、ほぼ三角形状の布材と、この布材の一端に固着された連結具と、この連結具とほぼ三角形状の布材とを連結するベルト部材と、ほぼ三角形状の布材の張り出された斜辺の一端に固着された雄型の面ファスナーと、テープ状伸縮性部材とを備えたものである。【０００８】  また、上記ほぼ三角形状の布材は、表面が雌型の面ファスナー機能を備えたものである。【０００９】  また、上記ほぼ三角形状の布材は、一端に張り出し部を設けたものである。【００１０】  また、ほぼ三角形状の布材は、テープ状の伸縮性部材を固着させたものである。【００１１】  また、上記ほぼ三角形状の布材は、布材の内側に装着手順を示す説明図と腕位置を示す説明図を設けたものである。【００１２】  また、ほぼ三角形状の布材は、腕や肩の固定用具の腕を固定する部分に切り込みを設けたものである。【００１３】また、ほぼ三角形状の布材は、内側をほぼ三角形に切り抜いたものである。
【発明の効果】
【００１４】  この発明の腕や肩の固定具は、腕や肩の骨折、腕や肩のケガ、肩の亜脱臼、腕肩腱板損傷、肩関節亜脱臼などの予防や治療において、介護者の装着時の時間的、労働的負担かけることなく装着者自身で適正な装着、脱着が自在にできまた、予防や治療に役立つ腕や肩の固定具を提供することができる。
【図面の簡単な説明】
【００１５】
【図１】  この発明の一実施の形態を示す腕や肩の固定具の斜視図である。
【図２】  図１に示す腕や肩の固定具の分解展開図である。
【図３】  この発明の腕や肩の固定具の使用方法を示す斜視図である。
【図４】  この発明の腕や肩の固定具の使用方法を示す斜視図である。
【図５】  この発明の腕や肩の固定具の使用方法を示す斜視図である。
【図６】  この発明の腕や肩の固定具の使用方法を示す斜視図である。
【図７】  この発明の腕や肩の固定具の使用方法を示す斜視図である。
【図８】  この発明の腕や肩の固定具の使用状態を説明する正面図である。
【図９】  この発明の腕や肩の固定具の使用状態を説明する正面図である。
【図１０】  この発明の腕や肩の固定具の使用状態を説明する正面図である。
【図１１】  この発明の腕や肩の固定具の使用状態を説明する正面図である。
【図１２】  この発明の腕や肩の固定具の使用状態を説明する背面図である。
【発明を実施するための形態】
【実施例１】
【００１６】  図０１は、この発明の一実施例の形態示す腕や肩の固定具の斜視図である。図０２は、図０１に示す腕や肩の固定具の分解展開図である。図において、１０は腕や肩の固定具であり、ほぼ三角形状の布材１と、この布材１の斜辺の一端に装着されたベルト部材２に固定された連結具３と、ほぼ三角形状布材１の張り出された斜辺の一端に固着された雄型面ファスナー４と、テープ状伸縮性部材５とで構成されている。布材１は、図２に示すとおり、たとえば、ナイロンやポリエステル繊維などのループ状起毛繊維等を用いて、ほぼ三角形状（図２に外形を一点鎖線で示す、以下省略）に形成され、切込み１ａ，１ｂ、２ａ、２ｂが設けられている。なお、この布材１は、表側が雌型の面ファスナー機能（ループ状起毛）生地で、裏面が一般的な生地である。また、三角形状の布材１は、より通気性の良いメッシュ調の雌型の面ファスナー機能を備えたループ状起毛生地を使用しても良い。さらに、ほぼ三角形状の布材１を、雌型面ファスナー機能（ループ状起毛）を持たない一般的な生地や素材で作成しその上に雌型面ファスナー機能（ループ状起毛）を持った生地や面ファスナーを固着させても良い。また、ほぼ三角形状の布材１の裏面には、装着手順が判るように、腕位置を示す説明図３０と装着手順を示す説明文４０が印刷表示されている。腕位置を示す説明図３０，説明文４０は、布材１に直接印刷されているが、腕の形に裁断した素材を布材１に固着させ腕位置を表示する方法や、布材１に、ミシンステッチで腕の形を表示し腕位置を表示する方法や、説明文で説明する方法等でも腕位置が判るように表示することができる。装着手順を示す説明文４０は、大きな文字で布材１に印刷表示されているが、洗濯ネームのような素材に、印刷、または、刺繍等で表示し、布材１固着し装着手順を示しても良い。さらに、布材１は、張り出し部１ｅを形成している。張り出し部１ｅは固定方法【００１７】  連結具３は、半楕円状の金属または、樹脂製のリングであり、布材１の一端にベルト部材２で固着されている。ベルト部材２は、柔軟性を有する織布で形成されている。雄型面ファスナーは、布材１の張り出された斜辺の一端に固着されている。【００１８】  腕や肘の装着部分は、図０２に示すとおり、布材１の切り込み１ａ，１ｂ部分を半楕円形状に形成し、破線で示す折り曲げ部１ｃを折り曲げて、ほぼＬ字状の袋状に縫合することにより、肘部の保持部が設けられる。さらに、布材１にテープ状の伸縮性部材５が引き伸ばされて縫合されることにより、ダーツ（平面の布を立体にする為に用いられるカッティング、パターンメーキング技術の一つで、それを縫う事をいう。以下省略）部２０が形成され、半円柱形が立体的に形成される。【００１９】  次に、上述のように構成された、腕や肩の固定具１０の使用方法を図０１から図１２に基づき説明する。図１から図１２は、本発明の実施例１に係る腕や肩の固定具の装着状態を示した図である。腕や肩の固定用具１０は、腕や肩を支えるほぼ三角形状布材１と、腕や肩の固定具１０を固定するための固定手段である連結具３と雄型面ファスナー４を備えているため図０１に示すとおり、連結具３に雄型面ファスナー４の部分を通し、雄型面ファスナ���４の部分を引くと、連結具３が支点となり上に持ち上げる力と内側に引き寄せる力に変わり、袋状に包まれた腕を肩方向に垂直に持ち上げるとともに、肩関節を肩甲骨側に引き寄せ、約３キロと言われている腕の荷重を軽減し肩関節の広がりや靭帯、腱の伸びを防ぐことができる。また、引く力の強弱により、固定力を調整することができる。【００２０】  さらに、図９、１０、１１、１２で示すとおり、腕や肩の固定具１０は、肩の面全体で腕の荷重を支えるため、肩や首への負担が大きく軽減される。【００２１】  腕や肩の固定具１０は、布材１とテープ状の伸縮性部材５は、テープ状の伸縮性部材５を引き伸ばした状態で縫合することにより、布材１にダーツ（しわ状部分）２０を形成する。さらに、図＃＃に示す通り、布材１の切り込み１ａ，１ｂの部分を、折り曲げ線１ｃを中心として合わせてＬ字状に縫合することにより、半楕円Ｌ字状に縫合した袋状を備へた半円柱形立体を形成する。この半円柱形立体の形成により、指先から肘にかけて全体を包み込むとともに装着状態を堅持する。【００２２】  次に、布材１０前面胸部に雄型面ファスナー４を仮止めしループ状を形成する（図３に示す）。次に、内側に表示された腕位置図３０の上に装着者の固定する腕を置き、（図４に示す）。布材１の内側に表示された装着手順説明文４０「ここから頭と腕を通す」の指示により、装着者の頭と負傷のしていない腕をループ状が形成されている腕や肩の固定具１０に通す。（図５、図６に示す）。次に、布材１の前面胸部に仮止めされている雄型面ファスナー４を固定していない片方の手で外し、雄形面ファスナー４の部分を装着者自身で引くと、（図７に示す）連結具３が支点となり、雄形面ファスナー４を引く力により肩方向に垂直に持ち上げる力に変わるとともに肩関節を肩甲骨側に引き寄せる力に変わり袋状に包まれた腕を肩方向に垂直に持ち上げるとともに、肩関節を肩甲骨側に引き寄せ、約３キロと言われている腕の荷重を軽減し肩関節の広がりや靭帯、腱の伸びを防ぐことが出来る。
また、引く力の強さにより固定力の強弱を調整することができる。さらに、図９〜１２で示すとおり、肩の面全体で腕の荷重を支えるため、肩や首への負担が大きく軽減される。【００２３】  また、腕や肩の固定具１０は、装着者の病気やケガの状態に合わせて固定方法を変えることが出来る。腕や肩の固定具の使用方法を図８に基づいて説明する。布材１の一端にベルト２で固着された連結具３に布材１の張り出された斜辺の一端に固着された雄型面ファスナー４を通し、布材１の前面胸部に雄型面ファスナー４を仮止めしループ状を形成する。次に、内側に表示された腕位置図３０の上に装着者の固定する腕を置き、ほぼ三角形状布材１の内側に表示された装着手順説明文４０「ここから頭と腕を通す」の指示により、装着者の頭と負傷のしていない腕をループ状が形成されている腕や肩の固定具１０に通す。次に布材１の前面胸部に仮止めされている雄型面ファスナー４を固定していない片方の手で外し、雄形面ファスナー４の部分を装着者自身で引くと、ほぼ三角形状布材１の連結具３が支点となり、上に持ち上げる力と、内側に引き寄せる力に変わり、布材１に包まれた腕を肩方向に垂直に持ち上げるとともに、肩関節を肩甲骨側に引き寄せ固定する。次に、図８で示すとおり腕先部分の上から布材１で腕先から手首まで包み、雄型面ファスナー４を固定されている腕の肩方向に持ち上げ布材１に固着することにより、腕先の動きをより抑えるとともに腕をよりしっかりと固定することができる固定方法である。また、図３は、この固定方法の図であり、雄型面ファスナー４を、布材１に固着する装着方法の図でもある。【００２４】  次に、腕や肩の固定具１０の他の使用方法を図９に基づいて説明する。布材１の一端にベルト２で固着された連結具３に布材１の張り出された斜辺の一端に固着された雄型面ファスナー４を通し、布材１前面胸部に雄型面ファスナー４を仮止めしループ状を形成する。次に、内側に表示された腕位置図３０の上に装着者の固定する腕を置き、布材１の内側に表示された装着手順説明文４０「ここから頭と腕を通す」の指示により、装着者の頭と負傷のしていない腕をループ状が形成されている腕や肩の固定具１０に通す。次に布材１の前面胸部に仮止めされている雄型面ファスナー４を固定していない片方の手で外し、雄形面ファスナー４の部分を装着者自身で引くと、布材１の連結具３が支点となり、上に持ち上げる力と、内側に引き寄せる力に変わり、布材１に包まれた腕を肩方向に垂直に持ち上げるとともに、肩関節を肩甲骨側に引き寄せ固定する。この固定方法は、図９で示すとおり、腕先部分の上から布材１で腕先から肘まで包み、雄型面ファスナー４を固定されている腕の肩方向に持ち上げ布材１に固着することにより、腕先の動きをより抑えるとともに下腕全体をよりしっかりと固定し、肘を持ち上げ、肩への荷重をより軽減するとともに肩関節への負担をより軽減した固定方法である。【００２５】  また、腕や肩の固定具１０の他の使用方法を図１０に基づいて説明する。図１０で示す腕や肩の固定具１０の使用方法を図面に基づいて説明する。布材１の一端にベルト２で固着された連結具３にほぼ三角形状布材１の張り出された斜辺の一端に固着された雄型面ファスナー４を通し、布材１０前面胸部に雄型面ファスナー４を仮止めしループ状を形成する。次に、内側に表示された腕位置図３０の上に装着者の固定する腕を置き、布材１の内側に表示された装着手順説明文４０「ここから頭と腕を通す」の指示により、装着者の頭と負傷のしていない腕をループ状が形成されている腕や肩の固定具１０に通す。次に布材１の前面胸部に仮止めされている雄型面ファスナー４を固定していない片方の手で外し、雄形面ファスナー４の部分を装着者自身で引くと、布材１の連結具３が支点となり、上に持ち上げる力と、内側に引き寄せる力に変わり、布材１に包まれた腕を肩方向に垂直に持ち上げるとともに、肩関節を肩甲骨側に引き寄せ固定する。この固定方法は、図１０で示すとおり、下腕の下側から布材１で巻き込むように包み、下腕を持ち上げ、雄型面ファスナー４を固定されている腕の肩方向に持ち上げ布材１に固着することにより、下腕をより持ち上げ腕先の固定力を軽減する固定方法である。【００２５】  また、図１０で示す腕や肩の固定具１０の応用的使用方法であるが説明する。（図示省略）布材１の一端にベルト２で固着された連結具３に布材１の張り出された斜辺の一端に固着された雄型面ファスナー４を通し、布材１０前面胸部に雄型面ファスナー４を仮止めしループ状を形成する。次に、内側に表示された腕位置図３０の上に装着者の固定する腕を置き、布材１の内側に表示された装着手順説明文４０「ここから頭と腕を通す」の指示により、装着者の頭と負傷のしていない腕をループ状が形成されている腕や肩の固定具１０に通す。次に布材１の前面胸部に仮止めされている雄型面ファスナー４を固定していない片方の手で外し、雄形面ファスナー４の部分を装着者自身で引くと、布材１の連結具３が支点となり、上に持ち上げる力と、内側に引き寄せる力に変わり、ほぼ三角形布材１に包まれた腕を肩方向に垂直に持ち上げるとともに、肩関節を肩甲骨側に引き寄せ固定する。次に、下腕の下側から布材１で下腕を巻き込むように包み下腕を持ち上げ、雄型面ファスナー４を固定されている腕の肩方向に持ち上げ布材１に固着することにより下腕を体に密着し、下腕をより持ち上げる固定方法である。このように装着者の状態に合わせた装着方法を選択することが出来る。【００２６】  図１１で示す腕や肩の固定具１０の使用方法を図面に基づいて説明する。布材１の一端にベルト２で固着された連結具３にほぼ三角形状布材１の張り出された斜辺の一端に固着された雄型面ファスナー４を通し、布材１０前面胸部に雄型面ファスナー４を仮止めしループ状を形成する。次に、内側に表示された腕位置図３０の上に装着者の固定する腕を置き、布材１の内側に表示された装着手順説明文４０「ここから頭と腕を通す」の指示により、装着者の頭と負傷のしていない腕をループ状が形成されている腕や肩の固定具１０に通す。次に布材１の前面胸部に仮止めされている雄型面ファスナー４を固定していない片方の手で外し、雄形面ファスナー４の部分を装着者自身で引くと、布材１の連結具３が支点となり、上に持ち上げる力と、内側に引き寄せる力に変わり、ほぼ三角形の布材１に包まれた腕を肩方向に垂直に持ち上げるとともに、肩関節を肩甲骨側に引き寄せ固定す��。次に、図６で示すとおり下腕の上側から布材１で下腕を巻き込むように包み下腕を持ち上げ、雄型面ファスナー４を固定されている腕の肩方向に持ち上げ布材１に固着することにより、下腕を体に密着し、下腕をより持ち上げる固定方法である。このように装着者の状態に合わせた装着方法を選択することが出来る。【００２７】  また、布材１は、雌型面ファスナー機能を備えているため、任意の位置に雄型面ファスナー４を固着することができので、装着者の体格や装着者のケガや病気の状態、また日常生活に合わせた装着方法、固定方法を選択することができる。【００２８】  上述のように装着者自身で装着できる腕や肩の固定用具１０は、装着者自身で装着することにより、体が動き、行なえたと言う達成感を得ることが出来ると共に、自分のことは、自分で行なって行くというリハビリ目的にも応え、介護者の装着時間的、労働的負担を軽減することが出来る。
【符号の説明】
【００２９】  １  布材、１ａ，１ｂ  切り込み、１ｅ  張り出し部、２  ベルト部材、３  連結具、４  面ファスナー雄型、５  テープ状の伸縮性部材、１０  腕や肩の固定具、３０  説明図、４０  説明文。
【図１】
2012205870.tif 000003
【図２】
2012205870.tif 000004
【図３】
2012205870.tif 000005
【図４】
2012205870.tif 000006
【図５】
2012205870.tif 000007
【図６】
2012205870.tif 000008
【図７】
2012205870.tif 000009
【図８】
2012205870.tif 000010
【図９】
2012205870.tif 000011
【図１０】
2012205870.tif 000012
【図１１】
2012205870.tif 000013
【図１２】
2012205870.tif 000014